(57)【特許請求の範囲】
【請求項１】
幅方向と長さ方向とを有し、前記長さ方向には股下域と、前記股下域の前方に位置する前胴周り域と、前記股下域の後方に位置する後胴周り域とが形成され、前記前後胴周り域のうちの一方の側方部分には前記幅方向の外側へ向かって延びる翼部の先端部分内面に前記前後胴周り域のうちのもう一方の外面に対して剥離可能に止着するファスナー部が設けられている開放型の使い捨ておむつにおいて、
前記翼部は、前記先端部分が前記長さ方向における外側寄り部分と内側寄り部分とに二分されており、前記外側寄り部分が前記幅方向の外側ヘ弾性的に易伸長性に形成される一方、前記内側寄り部分が前記幅方向の外側へ難伸長性および非伸長性いずれかに形成され、前記ファスナー部が前記外側寄り部分に設けられていることを特徴とする前記使い捨ておむつ。
【請求項２】
前記先端部分は、前記翼部の基端部分よりも易伸長性に形成されている請求項１記載の使い捨ておむつ。
【請求項３】
前記外側寄り部分は、前記ファスナー部が設けられている部位において非伸長性である請求項１または２記載の使い捨ておむつ。
【発明の詳細な説明】
【０００１】
【発明の属する技術分野】
この発明は、使い捨ておむつに関する。
【０００２】
【従来の技術】
従来、前胴周り域と後胴周り域とこれら両域間に位置する股下域とを有する開放型の使い捨ておむつは周知である。このおむつの多くでは、後胴周りの両側縁部分を側方へ延ばして翼部を形成し、その翼部の先端部分にファスナー部を設け、おむつを着用させるときにはこのファスナー部を前胴周り域の外面に対して剥離可能に止着する。
【０００３】
【発明が解決しようとする課題】
前記従来のおむつは、おむつが身体によく密着するように、翼部の先端部分を胴周り方向ヘ引張ったうえでファスナー部を止着する。しかし、その先端部分を胴周り方向ではあっても、斜め上方ヘ向けて引張ることになると、おむつの股下域における側縁部が脚周りに密着しにくくなって排泄物が脚周りから漏れ易くなる。
【０００４】
そこで、この発明は、開放型の使い捨ておむつを対象に、おむつの側縁部がおむつを着用させるときに脚周りに密着し易くなるように改良を施すことを課題にしている。
【０００５】
【課題を解決するための手段】
前記課題解決のために、この発明が対象とするのは、幅方向と長さ方向とを有し、前記長さ方向には股下域と、前記股下域の前方に位置する前胴周り域と、前記股下域の後方に位置する後胴周り域とが形成され、前記前後胴周り域のうちの一方の側方部分には前記幅方向の外側へ向かって延びる翼部の先端部分内面に前記前後胴周り域のうちのもう一方の外面に対して剥離可能に止着するファスナー部が設けられている開放型の使い捨ておむつである。
【０００６】
かかる使い捨ておむつにおいて、この発明が特徴とするところは、前記翼部における前記先端部分が前記長さ方向における外側寄り部分と内側寄り部分とに二分されており、前記外側寄り部分が前記幅方向の外側ヘ弾性的に易伸長性に形成される一方、前記内側寄り部分が前記幅方向の外側へ難伸長性および非伸長性いずれかに形成され、前記ファスナー部が前記外側寄り部分に設けられていること、にある。
【０００７】
この発明の好ましい実施態様において、前記先端部分は、前記翼部の基端部分よりも易伸長性に形成されている。また、前記外側寄り部分は、前記ファスナー部が設けられている部位において非伸長性である。
【０００８】
【発明の実施の形態】
添付の図面を参照し、この発明に係る開放型の使い捨ておむつの詳細を説明すると、以下のとおりである。
【０００９】
図１，２は、着用状態にある開放型の使い捨ておむつ１の部分破断斜視図と、図１のおむつ１の部分破断平面図である。おむつ１は幅方向Ａと長さ方向Ｂとを有し、透液性表面シート２と、不透液性裏面シート３と、これら両シート２，３間に介在する吸液性コア４とからなり、長さ方向Ｂには股下域８と、股下域８の前方に位置する前胴周り域６と、股下域８の後方に位置する後胴周り域７とが形成されている。表裏面シート２，３は、コア４の周縁から延出する部分において重なり合って互いに接合し、前後の端縁部フラップ１１，１２と、両側縁部フラップ１３とを形成している。後端縁部フラップ１２と両側縁部フラップ１３とでは、胴周り弾性部材１６と脚周り弾性部材１７とが表裏面シート２，３の間にあって、これらシート２，３の少なくとも一方の内面に伸長状態で接合している。両側縁部フラップ１３は、前後胴周り域６，７のそれぞれにおいて幅方向の外側へ向かって延びることにより、おむつ１の側方部分を成す前方翼部２１と後方翼部２２とを形成し、股下域８において弧を画くことにより湾曲部２３を形成している。
【００１０】
かかるおむつ１の後胴周り域７では、幅方向Ａヘ延びた後方翼部２２が先端部分２６を有する。先端部分２６には、長さ方向Ｂにおける外側寄りに高伸長域２７が形成され、内側寄りに低伸長域２８が形成され、さらに高伸長域２７にはファスナー部２９が設けられている。おむつ１の前胴周り域６では、裏面シート３の外面にファスナー部２９を剥離可能に止着するためのターゲット域３１が設けられている。おむつ１を幼児等に着用させるときには、ファスナー部２９を摘んで後方翼部２２の先端部分２６を幅方向Ａヘ引張り、ファスナー部２９をターゲット域３１に止着する。このようにして前方翼部２１と後方翼部２２とが重なり合うと、口径Ｄを有する脚周り開口９が形成される（図１参照）。
【００１１】
図３は、おむつ１における後方翼部２２の一方を拡大して示す図面である。後方翼部２２は、その基端部分３３が表面シート２と裏面シート３とによって形成されていて、幅方向Ａに対して非伸長性または弾性的な伸長性を有する。先端部分２６は、基端部分３３と重なり合う部分３５において接合され、高伸長域２７が幅方向Ａへ弾性的に容易に伸び得るように易伸長性に形成される一方、低伸長域２８が幅方向Ａヘ高伸長域２７ほどには容易に伸長することがないように難伸長性に形成されている。かような高伸長域２７は、５％伸長時の応力が低伸長域２８および基端部分３３の５％伸長時の応力よりも幅２５ｍｍ当りについて少なくとも０．０５Ｎ小さくなるように、弾性的な伸長性を有する不織布やプラスチックフィルム、ゴムシート等のシート材料によって形成される。低伸長域２８と基端部分３３は、非伸長性または高伸長域２７のシート材料よりも高い弾性率を有する不織布やプラスチックフィルム等のシート材料によって形成される。高伸長域２７と低伸長域２８とのシート材料は、互いに重なり合う部分４０において接合している。高伸長域２７に設けられたファスナー部２９は、幅方向Ａに対して非伸長性であって、内面に止着域３４を有する。図示例のファスナー部２９では、ポリエステル樹脂製テープの内面に粘着剤または商品名マジックテープ等で知られるメカニカルファスナーの雄部材からなる止着域３４が形成されている。
【００１２】
かように形成された後方翼部２２では、ファスナー部２９を摘んで高伸長域２７をおむつ１の幅方向Ａの外側へ向けて引張ると、そのときに弾性的に伸びようとする高伸長域２７が下方に位置する低伸長域２８によって自由な伸びを拘束され、矢印Ｐ方向へ、即ち図の斜め下方へ向かって伸びて、後方翼部２２が口径Ｄの小さな脚周り開口９を形成するように作用する。つまり、このおむつ１では、それを着用させるときに後方翼部２２を幅方向Ａへ引張ると、脚周り開口９が小さくなって股下域８における両側縁部フラップ１３がおむつ着用者の脚周りによく密着し、排泄物の脚周りからの漏れを防ぐことができる。ターゲット域３１は、後方翼部２２が下方へ向かって伸びたときに、ファスナー部２９を容易に止着することができるように、その平面形状がＵ字型またはＶ字型に作られている（図１参照）。かかるターゲット域３１は、止着域３４が粘着剤からなる場合にはプラスチックフィルムによって、止着域３４がメカニカルファスナーの雄部材からなる場合にはメカニカルファスナーの雌部材によって形成される。
【００１３】
図４は、実施態様の一例を示す図３と同様な図面である。このおむつ１における後方翼部２２の先端部分２６は、１枚の弾性的に伸長可能な不織布、例えばスチレン系エラストマーの繊維からなる不織布によって形成されている。この不織布は、図の下方部分に加熱加圧処理によってフィルム化した部位３７を多数有している。そのような下方部分は、部位３７を含まない図の上方部分にくらべて難伸長性であって、図２と同様な低伸長域２８を形成する一方、上方部分は高伸長域２７を形成する。高伸長域２７の内面にはメカニカルファスナの雄部材を接合することによって、止着域３４が形成されている。止着域３４が形成されている部位において、高伸長域２７は非伸長性である。
【００１４】
図５は、実施態様の一例を示す図４と同様な図面である。この後方翼部２２における先端部分２６もまた１枚の弾性的に伸長可能な不織布によって形成されている。先端部分２６は、幅方向Ａへ長く延びるように形成されているフィルム化した部位３７によって部分２６の少なくとも一部分が上下に二分されており、部位３７よりも上方の部分が高伸長域２７を形成し、部位３７よりも下方の部分が低伸長域２８を形成している。ファスナー部２９を幅方向Ａの外側へ向けて引張ると、高伸長域２７は容易に伸長するが、その伸長は部位３７によって遮られて低伸長域２８へは及び難い。それゆえ、この態様の後方翼部２２もまた、図３のそれと同様に作用し、高伸長域２７は矢印Ｐ方向へ伸長する。
【００１５】
図６もまた、実施態様の一例を示す図５と同様の図面である。この後方翼部２２における先端部分２６も１枚の弾性的な伸長性を有する不織布によって形成されている。先端部分２６の上方部分には長さ方向Ｂへ延びるスリット３８が多数形成されている。先端部分２６の上方部分は、スリット３８の存在によって、スリット３８が存在しない下方部分よりもおむつ１の幅方向Ａへ容易に伸長し、図３の先端部分２６と同様に作用する。それゆえ、この先端部分２６もまた、上方部分が高伸長域２７を形成し、下方部分が低伸長域２８を形成している。
【００１６】
この発明では、後方翼部２２に高伸長域２７と低伸長域２８とを設けることに代えて前方翼部２１の先端部分に高伸長域と低伸長域とを設け、前胴周り域６にターゲット域３１を設けることに代えて後胴周り域７にターゲット域を設けることができる。図示例において、胴周り方向の寸法が後方翼部２２よりも小さい前方翼部２１は、その寸法を後方翼部２２と同様に大きくすることが可能である。
【００１７】
【発明の効果】
この発明に係る開放型の使い捨ておむつは、前後胴周り域いずれかの翼部の先端部分に高伸長域と低伸長域とを形成し、高伸長域の内面にファスナー部を形成したから、おむつを着用させるときにそのファスナー部をおむつの幅方向ヘ引張ると、おむつに形成される脚周り開口はその口径が小さくなって、おむつ着用者の脚周りによく密着する。
【図面の簡単な説明】
【図１】着用状態に開放型の使い捨ておむつの部分破断斜視図。
【図２】図１の使い捨ておむつの部分破断平面図。
【図３】使い捨ておむつの部分図。
【図４】実施態様の一例を示す図３と同様な図面。
【図５】実施態様の一例を示す図４と同様な図面。
【図６】実施態様の他の一例を示す図５と同様な図面。
【符号の説明】
１      開放型使い捨ておむつ
６      前胴周り域
７      後胴周り域
８      股下域
２１      翼部
２２      翼部
２６      先端部分
２９      ファスナー部
Ａ      幅方向
Ｂ      長さ方向
【図１】
0003759902.tif 000002
【図２】
0003759902.tif 000003
【図３】
0003759902.tif 000004
【図４】
0003759902.tif 000005
【図５】
0003759902.tif 000006
【図６】
0003759902.tif 000007